(57)【要約】      （修正有）【課題】横筋および縦筋を十字に交差させた配筋の交差部に取り付けられる天端レベル管理具において、縦筋の径が異なる場合であっても横筋の延在方向周りに動いてしまうことを防止可能な天端レベル管理具の提供する。【解決手段】横筋Ｒ１および縦筋Ｒ２を十字に交差させた配筋の交差部に取り付けられ、天端レベルの目印となるレベル設定用棒材３の上下位置を調整して保持可能な保持部１０を有する天端レベル管理具１であって、下方が開口され、横筋に上方から嵌合されて取り付けられる横筋取付部１１と、横筋取付部１１よりも上方位置および下方位置に、横筋Ｒ１の延在方向に遠ざかるに連れて横筋Ｒ１から離れる方向に傾斜した第１面であり、縦筋Ｒ２に当接して縦筋Ｒ２を横筋Ｒ１側へ押さえる第１面を有する縦筋押え部１２とを備えた。【選択図】図１
2017031789.tif 000002
【特許請求の範囲】
【請求項１】
横筋および縦筋を十字に交差させた配筋の交差部に取り付けられ、天端レベルの目印となるレベル設定用棒材の上下位置を調整して保持可能な保持部を有する天端レベル管理具であって、
下方が開口され、前記横筋に上方から嵌合されて取り付けられる横筋取付部と、
前記横筋取付部よりも上方位置および下方位置に、前記横筋の延在方向に遠ざかるに連れて前記横筋から離れる第１面であり、前記縦筋に当接して前記縦筋を前記横筋側へ押さえる第１面を有する縦筋押え部と
を備えた天端レベル管理具。
【請求項２】
前記縦筋押え部は、前記第１面に接続され、前記横筋の延在方向に遠ざかるに連れて前記横筋に近付き、前記縦筋に当接する第２面を有するものである請求項１記載の天端レベル管理具。
【請求項３】
前記縦筋押え部よりもさらに下方位置に、前記縦筋の前記横筋側に当接する縦筋当接部を備えた請求項１または２に記載の天端レベル管理具。
【請求項４】
前記縦筋押え部は、前記横筋取付部に対して前記横筋の延在方向の両側に設けられたものである請求項１から３のいずれか１項に記載の天端レベル管理具。
【請求項５】
前記横筋の延在方向の両側に設けられた縦筋押え部は、前記横筋取付部に取り付けられる横筋からの距離がそれぞれ異なるものである請求項４記載の天端レベル管理具。
【請求項６】
前記レベル設定用棒材は、下部に螺旋状の溝部が形成されたものであり、
前記保持部は、上下方向のスリットを有する断面Ｃ字形に形成されたものであり、内側に前記溝部に嵌入する突起部を有するものである
請求項１から５のいずれか１項に記載の天端レベル管理具。
【発明の詳細な説明】
【技術分野】
【０００１】
本発明は、建築物のコンクリート基礎の天端レベルの設定に用いられる天端レベル管理具に関する。
【背景技術】
【０００２】
従来、コンクリート基礎の現場打ち工法においては、まず、型枠内に異形棒鋼を用いて配筋し、コンクリートを打設した後、さらにその天端面にレベラーを流し込んで、基礎コンクリート全体の天端を均一な面にすることが行われている。このレベラーを流し込むときの上面の目印として、例えば特許文献１に記載の天端レベル管理具が用いられる。
【０００３】
また、横筋に取り付けて使用する天端出し補助具として、例えば特許文献２に記載のものが知られている。図３２は特許文献２に記載の従来の天端出し補助具を鉄筋に取り付けた状態の斜視図、図３３（ａ）は特許文献２に記載の従来の別の天端出し補助具を鉄筋に取り付けた状態の斜視図、同図（ｂ）は同平面図である。
【０００４】
図３２に示す天端出し補助具１１０ａは、上下方向に配置されることになる本体部１１１と、水平方向となるように本体部１１１の一側面に一体化された横筋取付部１１３と、本体部１１１の下部であって横筋取付部１１３の延在方向とは反対側に突出する縦筋取付部１１４と、本体部１１１の目印体取付穴１１１ａに位置調整可能に取り付けた目印体１１２とにより構成されている。縦筋取付部１１４は、縦筋１２２の外側を挟み込めるような二又形状にしたものである。
【０００５】
この天端出し補助具１１０ａは、本体部１１１の一側面を横筋１２１に当接させ、押し下げることにより、横筋取付部１１３にて横筋１２１に取り付け、かつこの横筋１２１に組み付けられた縦筋１２２の一部に縦筋取付部１１４を係合させれば、当該天端出し補助具１１０ａは、その縦筋取付部１１４によって横筋１２１に対する回動を阻止されることになるとされている。
【０００６】
また、図３３に示す天端出し補助具１１０ｂは、上述の天端出し補助具１１０ａの縦筋取付部１１４に代えて、本体部１１１に一体化した交差鉄筋当接部１１５を有している。交差鉄筋当接部１１５は、横筋取付部１１３の延在方向とは反対側に向けて伸びたものである。交差鉄筋当接部１１５は、上下一対の押え片１１５ａの間に一つの逃げ片１１５ｂを形成することによって３分割されたものであり、逃げ片１１５ｂは本体部１１１に対して撓みやすいものとなっている。
【０００７】
この天端出し補助具１１０ｂでは、中央の逃げ片１１５ｂのみが節１２１ａや結束線１２３に当接し、各押え片１１５ａは節１２１ａや結束線１２３を避けるようにすれば、逃げ片１１５ｂは節１２１ａや結束線１２３の存在によって外側に撓み、各押え片１１５ａは縦筋１２２に自然な状態で当接したものとなるとされている。
【先行技術文献】
【特許文献】
【０００８】
【特許文献１】特許第３６４９７２４号公報
【特許文献２】特許第５１２４０５３号公報
【発明の概要】
【発明が解決しようとする課題】
【０００９】
ところで、コンクリート基礎の配筋に用いられる異形棒鋼にはいくつかの種類が存在し、現場によって横筋１２１および縦筋１２２に使用する異形棒鋼の径も様々である。すなわち、横筋１２１の径が同じであってもこれに交差する縦筋１２２の径がすべて同じであるとは限らない。そのため、上記従来の天端出し補助具１１０ａ，１１０ｂでは、横筋１２１の径と縦筋１２２の径との組み合わせの数に合わせて、横筋取付部１１３と縦筋取付部１１４または交差鉄筋当接部１１５とがそれぞれ横筋１２１および縦筋１２２の径に対応したサイズのものを用意する必要がある。仮に、縦筋取付部１１４または交差鉄筋当接部１１５のサイズが縦筋１２２の径よりも大きい場合、本体部１１１が横筋取付部１１３が取り付けられている横筋１２１の延在方向周りに動いてしまうため、天端レベルを正確に管理することができなくなる。
【００１０】
そこで、本発明では、横筋および縦筋を十字に交差させた配筋の交差部に取り付けられる天端レベル管理具において、縦筋の径が異なる場合であっても横筋の延在方向周りに動いてしまうことを防止可能な天端レベル管理具を提供することを目的とする。
【課題を解決するための手段】
【００１１】
本発明の天端レベル管理具は、横筋および縦筋を十字に交差させた配筋の交差部に取り付けられ、天端レベルの目印となるレベル設定用棒材の上下位置を調整して保持可能な保持部を有する天端レベル管理具であって、下方が開口され、横筋に上方から嵌合されて取り付けられる横筋取付部と、横筋取付部よりも上方位置および下方位置に、横筋の延在方向に遠ざかるに連れて横筋から離れる第１面であり、縦筋に当接して縦筋を横筋側へ押さえる第１面を有する縦筋押え部とを備えたものである。
【００１２】
本発明の天端レベル管理具によれば、横筋取付部を配筋の交差部の横筋に対して上方から嵌合して取り付け、縦筋へ向かって横筋の延在方向へ移動させると、縦筋の径に関わらず、縦筋押え部の第１面が縦筋へ当接し、縦筋を横筋側へ押さえる。これにより、天端レベル管理具は、横筋取付部の上方位置および下方位置において縦筋に当接する縦筋押え部により、横筋の延在方向周りに動くことが防止される。
【００１３】
ここで、縦筋押え部は、第１面に接続され、横筋の延在方向に遠ざかるに連れて横筋に近付き、縦筋に当接する第２面を有するものであることが望ましい。これにより、縦筋押え部の第１面および第２面に縦筋が当接した状態では、天端レベル管理具は縦筋の延在方向への移動が防止される。
【００１４】
また、本発明の天端レベル管理具は、縦筋押え部よりもさらに下方位置に、縦筋の横筋側に当接する縦筋当接部を備えたものであることが望ましい。これにより、横筋取付部を配筋の交差部の横筋に対して上方から嵌合して取り付け、縦筋へ向かって横筋の延在方向へ移動させると、縦筋押え部の第１面が縦筋へ当接し、縦筋を横筋側へ押さえるとともに、縦筋の横筋側が縦筋当接部に当接して支持されるので、縦筋が縦筋押え部と縦筋当接部に挟持された状態となり、天端レベル管理具は横筋の延在方向周りに動くことがより防止される。
【００１５】
また、縦筋押え部は、横筋取付部に対して横筋の延在方向の両側に設けられたものであることが望ましい。これにより、横筋取付部を配筋の交差部の横筋に対して上方から嵌合して取り付け、縦筋へ向かって横筋の延在方向へ移動させる際、横筋の延在方向のどちら側へ移動させても、縦筋押え部の第１面が縦筋へ当接し、縦筋を横筋側へ押さえるようになる。
【００１６】
ここで、横筋の延在方向の両側に設けられた縦筋押え部は、横筋取付部に取り付けられる横筋からの距離がそれぞれ異なるものであることが望ましい。これにより、縦筋の径に応じて、横筋取付部に取り付けられる横筋からの距離がそれぞれ異なる縦筋押え部のいずれか一方を選択して、縦筋を押さえることが可能となる。
【００１７】
また、レベル設定用棒材は、下部に螺旋状の溝部が形成されたものであり、保持部は、上下方向のスリットを有する断面Ｃ字形に形成されたものであり、内側に溝部に嵌入する突起部を有するものであることが望ましい。これにより、保持部内でレベル設定用棒材を回転させると、レベル設定用棒材の下部の螺旋状の溝部に保持部の内側の突起部が嵌入するため、レベル設定用棒材が上下に移動する。また、保持部が上下方向のスリットを有する断面Ｃ字形に形成されたものであるため、レベル設定用棒材を回転させる際に断面Ｃ字形が適宜拡縮し、レベル設定用棒材をスムーズに回転させることができる。
【発明の効果】
【００１８】
（１）下方が開口され、横筋に上方から嵌合されて取り付けられる横筋取付部と、横筋取付部よりも上方位置および下方位置に、横筋の延在方向に遠ざかるに連れて横筋から離れる第１面であり、縦筋に当接して縦筋を横筋側へ押さえる第１面を有する縦筋押え部とを備えた天端レベル管理具によれば、縦筋の径に関わらず、横筋の延在方向周りに動くことが防止され、天端レベルを精度良く管理することが可能となる。
【００１９】
（２）縦筋押え部が第１面に接続され、横筋の延在方向に遠ざかるに連れて横筋に近付き、縦筋に当接する第２面を有するものであることにより、縦筋押え部の第１面および第２面に縦筋が当接した状態では、天端レベル管理具は横筋の延在方向周りに動くことが防止されるだけでなく、横筋の延在方向への移動が防止されるので、天端レベルをより精度良く管理することが可能となる。
【００２０】
（３）縦筋押え部よりもさらに下方位置に、縦筋の横筋側に当接する縦筋当接部を備えたものであることにより、縦筋が縦筋押え部と縦筋当接部に挟持された状態となり、天端レベル管理具は横筋の延在方向周りに動くことがより防止され、天端レベルをより精度良く管理することが可能となる。
【００２１】
（４）縦筋押え部が、横筋取付部に対して横筋の延在方向の両側に設けられたものであることにより、横筋取付部を配筋の交差部の横筋に対して上方から嵌合して取り付け、縦筋へ向かって横筋の延在方向のどちら側へ移動させても固定することが可能となる。
【００２２】
（５）横筋の延在方向の両側に設けられた縦筋押え部が、横筋取付部に取り付けられる横筋からの距離がそれぞれ異なるものであることにより、縦筋の径に応じた側の縦筋押え部を選択して、縦筋を押さえることが可能となる。
【００２３】
（６）レベル設定用棒材は、下部に螺旋状の溝部が形成されたものであり、保持部は、上下方向のスリットを有する断面Ｃ字形に形成されたものであり、内側に溝部に嵌入する突起部を有するものであることにより、レベル設定用棒材を回転させて、レベル設定用棒材を上下に移動させ、天端レベルの目印を容易に微調整することが可能となる。
【図面の簡単な説明】
【００２４】
【図１】本発明の第１実施形態における天端レベル管理具の使用状態を示す斜視図である。
【図２】図１の裏側からみた斜視図である。
【図３】図１の天端レベル管理具本体を配筋に取り付ける様子を示す斜視図である。
【図４】図１の天端レベル管理具本体にレベル設定用棒材を取り付ける直前の様子を示す斜視図である。
【図５】図１の天端レベル管理具本体の平面図である。
【図６】図１の天端レベル管理具本体の正面図である。
【図７】図１の天端レベル管理具本体の底面図である。
【図８】図１の天端レベル管理具本体の背面図である。
【図９】図１の天端レベル管理具本体の左側面図である。
【図１０】図５のＡ−Ａ線断面図である。
【図１１】図５のＢ−Ｂ線断面図である。
【図１２】図５のＣ−Ｃ線断面図である。
【図１３】図６のＤ−Ｄ線断面図である。
【図１４】図７のＥ−Ｅ線断面図である。
【図１５】本発明の第２実施形態における天端レベル管理具の使用状態を示す斜視図である。
【図１６】図１５の裏側からみた斜視図である。
【図１７】図１５の天端レベル管理具本体を配筋に取り付ける様子を示す斜視図である。
【図１８】図１５の天端レベル管理具本体にレベル設定用棒材を取り付ける直前の様子を示す斜視図である。
【図１９】図１５の天端レベル管理具本体の平面図である。
【図２０】図１５の天端レベル管理具本体の正面図である。
【図２１】図１５の天端レベル管理具本体の底面図である。
【図２２】図１５の天端レベル管理具本体の背面図である。
【図２３】図１５の天端レベル管理具本体の左側面図である。
【図２４】図２０のＦ−Ｆ線断面図である。
【図２５】本発明の第３実施形態における天端レベル管理具本体を正面側斜め上方からみた斜視図である。
【図２６】図２５の天端レベル管理具本体を背面側斜め上方からみた斜視図である。
【図２７】図２５の天端レベル管理具本体を背面側斜め下方からみた斜視図である。
【図２８】図２５の天端レベル管理具本体の平面図である。
【図２９】図２５の天端レベル管理具本体の底面図である。
【図３０】図２５の天端レベル管理具本体の使用状態を示す斜視図である。
【図３１】図３０の裏側からみた斜視図である。
【図３２】従来の天端出し補助具を鉄筋に取り付けた状態の斜視図である。
【図３３】（ａ）は従来の別の天端出し補助具を鉄筋に取り付けた状態の斜視図、（ｂ）は平面図である。
【発明を実施するための形態】
【００２５】
（実施の形態１）
図１は本発明の第１実施形態における天端レベル管理具の使用状態を示す斜視図、図２は図１の裏側からみた斜視図、図３は図１の天端レベル管理具本体を配筋に取り付ける様子を示す斜視図、図４は図１の天端レベル管理具本体にレベル設定用棒材を取り付ける直前の様子を示す斜視図である。図５は図１の天端レベル管理具本体の平面図、図６は正面図、図７は底面図、図８は背面図、図９は左側面図、図１０は図５のＡ−Ａ線断面図、図１１は図５のＢ−Ｂ線断面図、図１２は図５のＣ−Ｃ線断面図、図１３は図６のＤ−Ｄ線断面図、図１４は図７のＥ−Ｅ線断面図である。
【００２６】
図１および図２において、本発明の第１実施形態における天端レベル管理具１は、表面に凹凸の突起を有する異形棒鋼を用いて型枠内に配筋し、コンクリートを打設した後、さらにその天端面にレベラーを流し込んで基礎天端を形成するときの天端レベルを設定する治工具である。天端レベル管理具１は、それぞれ異形棒鋼からなり、延在方向Ｘ１を水平方向とする横筋Ｒ１および延在方向Ｘ２を垂直方向とする縦筋Ｒ２を十字に交差させた配筋の交差部に取り付けられる天端レベル管理具本体２と、天端レベル管理具本体２に保持されて天端レベルの目印とするレベル設定用棒材３とからなる。
【００２７】
天端レベル管理具本体２およびレベル設定用棒材３は、硬質樹脂で形成されている。硬質樹脂としては、例えば、ＰＰ（ポリプロピレン）、ＰＯＭ（ポリアセタール）、ＡＢＳ樹脂、ＰＣ（ポリカーボネート）やＰＡ６（ポリアミド）等の工業用プラスチック樹脂を用いることができる。また、摺動性が良い複数種類の硬質樹脂を組み合わせて使用することも可能である。
【００２８】
レベル設定用棒材３は、丸棒状に形成され、上端３０を、レベラーを流し込んで基礎天端を形成するときの天端レベルの目印としている。また、レベル設定用棒材３の上端から予定距離、例えば１０ｍｍだけ下がった位置には、レベル設定用棒材３から両側に拡がる鱗状の拡径部３１が設けられている。拡径部３１の上面は、レベラーを流す前に打設するコンクリートの上端レベルの目印となっている。
【００２９】
レベル設定用棒材３の下部には、螺旋状の溝部３２が形成されている。溝部３２の内径は、レベル設定用棒材３の上部の外径と同じに形成され、強度の低下が防止されている。また、溝部３２の断面形状は、矩形波状に形成され、衝撃が加わったときや、摺動による破損を防止している。溝部３２の溝は１条で、ピッチは例えば３．０〜３．５ｍｍに形成されている。
【００３０】
天端レベル管理具本体２は、レベル設定用棒材３の上下位置を調整して保持可能な保持部１０と、横筋Ｒ１に取り付けられる横筋取付部１１と、縦筋Ｒ２に当接して縦筋Ｒ２を横筋Ｒ１側へ押さえる第１面１２ａを有する縦筋押え部１２とを備える。縦筋押え部１２は、横筋取付部１１に対して横筋Ｒ１の延在方向Ｘ１の両側に対称に設けられている。
【００３１】
図５〜図１４に示すように、保持部１０は、上下方向のスリット１０ａを有する断面Ｃ字形の略円筒状に形成されたものである。保持部１０の内径は、レベル設定用棒材３の溝部３２が形成された下部外周に当接して保持可能な程度の大きさに設定されている。また、保持部１０の内側の上端部には、レベル設定用棒材３の溝部３２に嵌入する突起部１０ｂを有する。レベル設定用棒材３は、この突起部１０ｂが溝部３２に嵌入することによって、ねじのように回転させることができ、１回転につき上下に３．０〜３．５ｍｍ移動する。
【００３２】
横筋取付部１１は、下方に開口１１ａが形成された断面Ｃ字形の水平方向に延びる略円筒状である。横筋取付部１１の内径は、横筋Ｒ１の外径に対応する内径を有する。横筋取付部１１の開口１１ａが横筋Ｒ１に上方から押し当てられると、横筋取付部１１が弾性変形して開口１１ａが拡がり、横筋Ｒ１が開口１１ａを通過する。その後、横筋取付部１１が弾性復元することにより、横筋Ｒ１が横筋取付部１１に嵌合する。
【００３３】
縦筋押え部１２の第１面１２ａは、横筋取付部１１よりも上方位置および下方位置に、横筋Ｒ１の延在方向Ｘ１に遠ざかるに連れて横筋Ｒ１から離れる傾斜面である。なお、本実施形態においては、第１面１２ａと横筋Ｒ１の延在方向Ｘ１とのなす角θが鋭角となるように設定されている。また、上方位置の縦筋押え部１２は、後述するように天端レベル管理具本体２の取り付けの際に縦筋Ｒ２へ向かって横筋Ｒ１の延在方向Ｘ１へ指で押して移動させるため、この上方位置の第１面１２ａの裏側には、補強のためのリブ１２ｂが設けられている。
【００３４】
ところで、横筋Ｒ１と縦筋Ｒ２とは、その交差部においてワイヤーＷにより緊結されているが、縦筋押え部１２の第１面１２ａは横筋取付部１１よりも上方位置および下方位置にそれぞれ分離して設けられているため、このワイヤーＷには干渉しない。
【００３５】
上記構成の天端レベル管理具１を使用するには、まず、図３に示すように、天端レベル管理具本体２の横筋取付部１１を配筋の交差部の横筋Ｒ１に対して上方から嵌合して取り付ける。次に、上側の縦筋押え部１２を縦筋Ｒ２へ向かって押し、横筋Ｒ１の延在方向Ｘ１へ移動させると、縦筋押え部１２の第１面１２ａが縦筋Ｒ２へ当接し、縦筋Ｒ２が横筋Ｒ１側へ押さえられる。このとき、第１面１２ａは、縦筋Ｒ２の径に関わらず、必ず縦筋Ｒ２へ当接し、縦筋Ｒ２を横筋Ｒ１側へ押さえることになる。
【００３６】
そして、図４に示すように、レベル設定用棒材３を保持部１０へ取り付ける。レベル設定用棒材３は、保持部１０内で回転させると、下部の螺旋状の溝部３２に保持部１０の内側の突起部１０ｂが嵌入して上下に移動する。これにより、天端レベルの目印を容易に微調整することが可能である。また、保持部１０が上下方向のスリット１０ａを有する断面Ｃ字形に形成されたものであるため、レベル設定用棒材３を回転させる際に断面Ｃ字形が適宜拡縮し、レベル設定用棒材３をスムーズに回転させることが可能である。なお、レベル設定用棒材３を予め天端レベル管理具本体２の保持部１０へ取り付けた状態で、横筋取付部１１を配筋の交差部に取り付けて使用することも可能である。
【００３７】
以上のように、配筋の交差部に取り付けられた天端レベル管理具１は、横筋取付部１１の上方位置および下方位置において縦筋Ｒ２に当接する縦筋押え部１２により、縦筋Ｒ２の径に関わらず、横筋Ｒ１の延在方向Ｘ１周りに動くことが防止されるため、天端レベルを精度良く管理することが可能である。
【００３８】
また、天端レベル管理具本体２の縦筋押え部１２は、横筋取付部１１に対して横筋Ｒ１の延在方向Ｘ１の両側に設けられているため、横筋取付部１１を配筋の交差部の横筋Ｒ１に対して上方から嵌合して取り付け、縦筋Ｒ２へ向かって横筋Ｒ１の延在方向Ｘ１へ移動させる際、横筋Ｒ１の延在方向Ｘ１のどちら側へ移動させても、縦筋押え部１２の第１面１２ａが縦筋Ｒ２へ当接し、縦筋Ｒ２を横筋Ｒ１側へ押さえることが可能である。したがって、作業者の利き手に応じて作業し易い方向へ移動させて使用することが可能である。なお、縦筋押え部１２は、横筋Ｒの延在方向Ｘ１の片側にのみ設けた構成とすることも可能である。
【００３９】
（実施の形態２）
次に、本発明の天端レベル管理具の別の実施形態について説明する。なお、以下の説明において、第１実施形態における天端レベル管理具１と共通する部分については同一符号を付し、その詳細な説明を省略する。
【００４０】
図１５は本発明の第２実施形態における天端レベル管理具の使用状態を示す斜視図、図１６は図１５の裏側からみた斜視図、図１７は図１５の天端レベル管理具本体を配筋に取り付ける様子を示す斜視図、図１８は図１５の天端レベル管理具本体にレベル設定用棒材を取り付ける直前の様子を示す斜視図である。図１９は図１５の天端レベル管理具本体の平面図、図２０は正面図、図２１は底面図、図２２は背面図、図２３は左側面図、図２４は図２０のＦ−Ｆ線断面図である。
【００４１】
図１５〜図２４に示すように、第２実施形態における天端レベル管理具４では、第１実施形態における天端レベル管理具１の縦筋押え部１２よりもさらに下方位置に、縦筋Ｒ２の横筋Ｒ１側に当接する縦筋当接部１３を備えた構成である。縦筋当接部１３の当接面１３ａは、図１９に示すように、縦筋押え部１２の第１面１２ａと反対側へ横筋Ｒ１の延在方向Ｘ１より若干傾斜した面である。
【００４２】
この天端レベル管理具４では、横筋取付部１１を配筋の交差部の横筋Ｒ１に対して上方から嵌合して取り付け、縦筋Ｒ２へ向かって横筋Ｒ１の延在方向へ移動させると、縦筋押え部１２の第１面１２ａが縦筋Ｒ２へ当接し、縦筋Ｒ２を横筋Ｒ１側へ押さえるとともに、縦筋Ｒ２の横筋Ｒ１側が縦筋当接部１３の当接面１３ａに当接して支持される。これにより、縦筋Ｒ２が縦筋押え部１２と縦筋当接部１３に挟持された状態となり、天端レベル管理具４は横筋Ｒ１の延在方向Ｘ１周りに動くことがより防止される。
【００４３】
なお、本実施形態においては、縦筋当接部１３の当接面１３ａが縦筋押え部１２の第１面１２ａと反対側へ横筋Ｒ１の延在方向Ｘ１より若干傾斜した面であるため、縦筋Ｒ２へ向かって横筋Ｒ１の延在方向へ移動させた際に、縦筋Ｒ２を第１面１２ａと当接面１３ａとの間に挿入し易くなっており、作業性が良い。なお、当接面１３ａは横筋Ｒ１の延在方向Ｘ１と平行とすることも可能である。
【００４４】
（実施の形態３）
次に、本発明の天端レベル管理具のさらに別の実施形態について説明する。なお、以下の説明において、第１実施形態における天端レベル管理具１と共通する部分については同一符号を付し、その詳細な説明を省略する。
【００４５】
図２５は本発明の第３実施形態における天端レベル管理具本体５を正面側斜め上方からみた斜視図、図２６は図２５の天端レベル管理具本体５を背面側斜め上方からみた斜視図、図２７は図２５の天端レベル管理具本体５を背面側斜め下方からみた斜視図、図２８は図２５の天端レベル管理具本体５の平面図、図２９は図２５の天端レベル管理具本体５の底面図、図３０は図２５の天端レベル管理具本体５の使用状態を示す斜視図、図３１は図３０の裏側からみた斜視図である。
【００４６】
図２５〜図３１に示すように、第３実施形態における天端レベル管理具本体５は、第１実施形態における天端レベル管理具本体２と同様に、レベル設定用棒材３の上下位置を調整して保持可能な保持部１０と、横筋Ｒ１に取り付けられる横筋取付部１１と、横筋取付部１１に対して横筋Ｒ１の延在方向Ｘ１の両側に設けられ、いずれか一方が縦筋Ｒ２に当接して縦筋Ｒ２を横筋Ｒ１側へ押さえる縦筋押え部２１，２２，２３，２４とを備える。縦筋押え部２１，２２，２３，２４は、それぞれ縦筋Ｒ２に当接して縦筋Ｒ２を横筋Ｒ１側へ押さえる第１面２１−１，２２−１，２３−１，２４−１および第２面２１−２，２２−２，２３−２，２４−２を備える。
【００４７】
縦筋押え部２１，２３のそれぞれの第１面２１−１，２３−１は、横筋取付部１１よりも上方位置に、横筋Ｒ１の延在方向Ｘ１に遠ざかるに連れて横筋取付部１１から離れる傾斜面である。縦筋押え部２２，２４のそれぞれの第１面２２−１，２４−１は、横筋取付部１１よりも下方位置に、横筋Ｒ１の延在方向Ｘ１に遠ざかるに連れて横筋取付部１１から離れる曲面である。
【００４８】
縦筋押え部２１，２３のそれぞれの第２面２１−２，２３−２は、それぞれ第１面２１−１，２３−１に接続され、横筋Ｒ１の延在方向Ｘ１に遠ざかるに連れて横筋Ｒ１に近付き、縦筋Ｒ２に当接する傾斜面である。第１面２１−１，２３−１と第２面２１−２，２３−２とのそれぞれの接続面２１−３，２３−３は曲面となっている。
【００４９】
縦筋押え部２２，２４のそれぞれの第２面２２−２，２４−２は、それぞれ第１面２２−１，２４−１に接続され、横筋Ｒ１の延在方向Ｘ１に遠ざかるに連れて横筋Ｒ１に近付き、縦筋Ｒ２に当接する曲面である。第１面２２−１，２４−１と第２面２２−２，２４−２とのそれぞれの接続面２２−３，２４−３は平面となっている。
【００５０】
なお、第１実施形態における縦筋押え部１２は、横筋取付部１１に対して横筋Ｒ１の延在方向Ｘ１の両側に対称に設けられた構成であったが、本実施形態においては非対称となっており、縦筋押え部２１，２３と縦筋押え部２２，２４とは横筋Ｒ１からの距離がそれぞれ異なっている。本実施形態においては、縦筋押え部２１，２３は１０ｍｍφの縦筋に、縦筋押え部２２，２４は１３ｍｍφの縦筋にそれぞれ対応する。
【００５１】
本実施形態における天端レベル管理具本体５においても、第１実施形態における天端レベル管理具本体５と同様に、天端レベル管理具本体５の横筋取付部１１を配筋の交差部の横筋Ｒ１に対して上方から嵌合して取り付ける。次に、縦筋Ｒ２の径に応じて縦筋押え部２１，２３または縦筋押え部２２，２４のいずれか一方を選択（図示例では縦筋押え部２２，２４を選択。）し、縦筋Ｒ２へ向かって移動させ、縦筋Ｒ２が縦筋押え部２１，２３の第１面２１−１，２３−１および第２面２１−２，２３−２または縦筋押え部２２，２４の第１面２２−１，２４−１および第２面２２−２，２４−２に当接した状態とする。
【００５２】
これにより、天端レベル管理具本体５は横筋Ｒ１の延在方向Ｘ１周りに動くことが防止されるだけでなく、横筋Ｒ１の延在方向Ｘ１への移動が防止されるので、天端レベルをより精度良く管理することが可能となる。
【産業上の利用可能性】
【００５３】
本発明の天端レベル管理具は、建築物のコンクリート基礎の天端レベルの設定に有用である。
【符号の説明】
【００５４】
１，４  天端レベル管理具
１０  保持部
１１  横筋取付部
１１ａ  開口
１２  縦筋押え部
１２ａ  第１面
１３  縦筋当接部
１３ａ  当接面
２，５  天端レベル管理具本体
２１，２２，２３，２４  縦筋押え部
２１−１，２２−１，２３−１，２４−１  第１面
２１−２，２２−２，２３−２，２４−２  第２面
３  レベル設定用棒材
３０  上端
３１  拡径部
３２  溝部
【図１】
2017031789.tif 000003
【図２】
2017031789.tif 000004
【図３】
2017031789.tif 000005
【図４】
2017031789.tif 000006
【図５】
2017031789.tif 000007
【図６】
2017031789.tif 000008
【図７】
2017031789.tif 000009
【図８】
2017031789.tif 000010
【図９】
2017031789.tif 000011
【図１０】
2017031789.tif 000012
【図１１】
2017031789.tif 000013
【図１２】
2017031789.tif 000014
【図１３】
2017031789.tif 000015
【図１４】
2017031789.tif 000016
【図１５】
2017031789.tif 000017
【図１６】
2017031789.tif 000018
【図１７】
2017031789.tif 000019
【図１８】
2017031789.tif 000020
【図１９】
2017031789.tif 000021
【図２０】
2017031789.tif 000022
【図２１】
2017031789.tif 000023
【図２２】
2017031789.tif 000024
【図２３】
2017031789.tif 000025
【図２４】
2017031789.tif 000026
【図２８】
2017031789.tif 000027
【図２９】
2017031789.tif 000028
【図２５】
2017031789.tif 000029
【図２６】
2017031789.tif 000030
【図２７】
2017031789.tif 000031
【図３０】
2017031789.tif 000032
【図３１】
2017031789.tif 000033
【図３２】
2017031789.tif 000034
【図３３】
2017031789.tif 000035